(57)【要約】駆動回路は、データ電極（１２）と選択電極（１１）との交差部に関連する表示画素（１０）のマトリックスを有するエレクトロルミネセントディスプレイ（１）を駆動する。このドライバ回路は、所定の繰返し周波数のオーバーラップしていない選択パルス（ＶＳＰ）を有する選択信号（ＶＳ）を、選択電極（１１）のうちの選択された選択電極（１１’）に供給する選択ドライバ（１１）を有する。データドライバ（３）は、同じ所定の繰返し周波数のデータパルス（ＤＳＰ）を有するデータ信号（ＤＳ）をデータ電極（１２）に供給する。データパルス（ＤＳＰ）は、関連する画素（１０）が光を発するべきではないデータ電極（１２）に対して、選択パルス（ＶＳＰ）中に発生する。データパルス（ＤＳＰ）は、関連する画素（１０）が光を発するべきであるデータ電極（１２）に対して、選択パルス（ＶＳＰ）と選択パルス（ＶＳＰ）との間に発生する。
2005535914.tif 000002
【特許請求の範囲】
【請求項１】
データ電極と選択電極との交差部に関連する表示画素のマトリックスを有するエレクトロルミネセントディスプレイを駆動するドライバ回路であって、前記ドライバ回路が、
選択期間中に、所定の繰返し周波数のオーバーラップしていない選択パルスを有する選択信号を、前記選択電極のうちの選択された選択電極に供給する選択ドライバ、
前記所定の繰返し周波数と同じ周波数のデータパルスを有するデータ信号を前記データ電極に供給するためのデータドライバであって、前記データパルスは、関連する画素が光を発するべきではないデータ電極に対して、前記選択パルス中に発生し、関連する画素が光を発するべきであるデータ電極に対して、前記選択パルスと選択パルスとの間に発生するデータドライバ、
を有するドライバ回路。
【請求項２】
前記ドライバ回路は、サイン波形状のエッジと前記所定の繰返し周波数の２倍の繰返し周波数とを伴なう出力パルスを供給するためのエネルギーリカバリ回路を更に有し、
前記データドライバは、前記選択パルス中に発生する前記出力パルス又は前記選択パルスと選択パルスとの間に発生する前記出力パルスを前記データ電極に送るための手段を有する、請求項１のドライバ回路。
【請求項３】
前記送るための手段は、直列に配された第１及び第２の電子スイッチに印加される出力パルスを受け取るためのプッシュプル出力段を有し、前記第１及び第２の電子スイッチの接続部が前記データ電極のうちの対応するデータ電極に結合され、前記ドライバ回路が、前記関連する画素が光を生成すべきでない場合は前記選択パルス中に前記出力パルスを前記データ電極に供給するために、又は前記関連する画素が光を生成すべき場合は前記選択パルスと選択パルスとの間に前記出力パルスを前記データ電極に供給するために、前記プッシュプル出力段を制御するコントローラを更に有する、請求項２のドライバ回路。
【請求項４】
前記データドライバの前記プッシュプル出力段の少なくともサブセットが集積回路に組み込まれ、前記直列に配された第１及び第２の電子スイッチは前記集積回路の端子と端子との間に結合される、請求項２のドライバ回路。
【請求項５】
前記ドライバ回路は、実質的にサイン波形状のエッジを伴なう前記選択信号の前記選択パルスを発生するための他のエネルギーリカバリ回路を有する、請求項２のドライバ回路。
【請求項６】
最初に言及された前記エネルギーリカバリ回路の共振インダクタ及び前記他のエネルギーリカバリー回路の共振インダクタは、磁気的に結合されている請求項５のドライバ回路。
【請求項７】
請求項１のドライバ回路を有する表示装置。
【請求項８】
データ電極と選択電極との交差部に関連する表示画素のマトリックスを有するエレクトロルミネセントディスプレイを駆動する方法であって、前記方法が、
選択期間の間に、前記選択電極のうちの選択された選択電極に、所定の繰返し周波数の非オーバラッピング選択パルスを有する選択信号を供給するステップ、
前記データ電極に、前記所定の繰返し周波数と同じ周波数のデータパルスを有するデータ信号を供給するステップであって、前記データパルスは、前記選択パルス中に、関連する画素が光を生成するべきではないデータ電極に対して発生し、前記データパルスは、前記選択パルスと選択パルスとの間に、関連する画素が光を生成するべきであるデータ電極に対して発生するステップ、
を有する方法。
【発明の詳細な説明】
【技術分野】
【０００１】
本発明は、エレクトロルミネセントディスプレイを駆動する駆動回路、斯かる駆動回路を有する表示装置、及びエレクトロルミネセントディスプレイを駆動する方法に関する。
【背景技術】
【０００２】
ＵＳ−Ａ−６，０７２，６１９号は、第１のファイバの集合のファイバと第２のファイバの集合のファイバと間に、２次元的な接合アレイを形成する第１のファイバの集合及び第２のファイバの集合を含むエレクトロルミネセントディスプレイを開示している。第１及び第２のファイバの集合のファイバーの各々は、長手方向の導通エレメントを含み、一方、第１及び第２のファイバの集合のうちの少なくとも一方のファイバは、少なくとも接合部において、電気的又は磁気的な束又は場を受けたときにその光学的挙動が反転的に変化することが可能な電気光学的アクティブ物質のコートを更に含む。光変調装置はフレキシブル且つ折り畳み可能である。このエレクトロルミネセントディスプレイは、他に、ウーブン（woven）ＥＬディスプレイと呼ばれる。
【０００３】
ＵＳ−Ｂ−６，２４９，２７９号は、画素の充電及び放電によって生じる損失を小さくするために共振エネルギーリカバリ回路により駆動信号を発生させるＡＣ薄膜エレクトロルミネセントディスプレイのための行駆動回路を開示している。ＡＣ薄膜エレクトロルミネセントディスプレイでは、画素によって作り出される光量は、データ電極上のデータ駆動信号のデータ電圧の値に依存する。データ駆動信号は、フレーム中に特定の画素に一度印加される。ＡＣ薄膜エレクトロルミネセントディスプレイは、他に、ＡＣＴＦＥＬディスプレイと呼ばれている。
【０００４】
ＡＣＴＦＥＬディスプレイの既知の駆動方式がウーブンＥＬディスプレイに適用されると、光出力が非常に低い。
【発明の開示】
【発明が解決しようとする課題】
【０００５】
本発明の目的は、ＥＬディスプレイの光出力を増加することにある。
【課題を解決するための手段】
【０００６】
本発明の第１の態様は、請求項１に記載されているエレクトロルミネセントディスプレイを駆動するためのドライバ回路を提供する。本発明の第２の態様は、請求項７に記載されている、斯かるドライバ回路を有する表示装置を提供する。本発明の第３の態様は、請求項８に記載されているエレクトロルミネセントディスプレイを駆動する方法を提供する。有利な実施例は、従属項に規定されている。
【０００７】
ドライバ回路は、データ電極と選択電極との交差部に関連する表示画素のマトリックスを有するエレクトロルミネセントディスプレイを駆動する。
【０００８】
選択ドライバは、選択期間中に、所定の繰返し周波数の選択パルスを有する選択信号を選択された行に供給する。
【０００９】
データドライバはデータ電極にデータ信号を供給する。データ信号は同じ所定の繰返し周波数のデータパルスを有する。データパルスは選択パルス中に発生し、又は別の言い方では、関連する画素が光を発するべきではないデータ電極の選択パルスと同じ位相を有する。データパルスは選択パルスと選択パルスとの間に発生し、又は別の言い方では、関連する画素が光を発するべきであるデータ電極の選択パルスと逆位相を有する（又は、選択パルスに対して実質的に１８０度位相がシフトしている）。
【００１０】
本発明の簡単な説明に役立つように、例として、ウーブンＥＬディスプレイに対してファイバの第１の集合の導電エレメントからなる選択電極を、通常水平方向に延在しているので行電極と呼ぶ。ファイバの第２の集合の導電エレメントからなるウーブンＥＬディスプレイのデータ電極を、通常垂直方向に延在しているので列電極と呼ぶ。
【００１１】
行は、line-at-ａ-time法を用いて走査される。特定の繰返し周波数を持つオーバーラップしていない選択パルスを有する選択信号は、選択された行に供給され、一方、他の行はグランドに接続される。選択された行の特定の画素が光を生成するべきではない（「オフ」であるべきである）場合、対応する列は、選択パルスと同じ特別の繰返し周波数を伴ない選択パルスの発生の間に発生するアドレスパルスを有するアドレス信号で駆動される。特定の画素が光を生成すべきである（「オン」であるべきである）場合、対応する列は、選択パルスと同じ特別の繰返し周波数を伴ない選択パルスと選択パルスとの間に発生するアドレスパルスを有するアドレス信号で駆動される。別の言葉でいうと、アドレスパルスは「オン」及び「オフ」の画素のための行電圧とそれぞれ位相がずれている又は同相である。
【００１２】
従って、「オフ」画素に対して、選択パルスはアドレスパルスと同相であるので、差分電圧は、選択パルスの振幅からアドレスパルスの振幅を引いたものである。画素に印加される差分電圧の値は、画素が光を生成するには低すぎる。「オン」画素に対して、選択パルスとアドレスパルスとの両方は逆相であるので、差分電圧は、アドレスパルスの振幅が加えられた選択パルスの振幅である。画素に印加される差分電圧のピークピーク値は、画素が光を生成するにのに十分大きい。
【００１３】
例えば、選択パルスの振幅がアドレスパルスの振幅の２倍もある場合、「オフ」画素に印加される電圧は、「オン」画素に印加される電圧よりも３倍小さい。
【００１４】
画素に印加されるパルスは、アドレス信号を受け取るために行が選択される選択期間中に実質的に存在する。「オン」画素は選択期間中に何回か光輝く。結果として、本発明による駆動回路によって得られる光出力は、ＡＣＴＦＥＬディスプレイのための既知の駆動回路によって得られる光出力よりも大きい。
【００１５】
適切な量の光を生成するには、選択期間中に何回も光輝くことが望ましい。従って、通常は、選択パルスとデータパルスとの両方のパルスの繰返し周波数が高い。
【００１６】
本発明は、全てのＥＬディスプレイの光出力を増加させるために役立つが、ウーブンＥＬディスプレイのような比較的低い光出力を有するＥＬディスプレイを駆動するのに特に役立つ。
【００１７】
選択されていない行はグランドであるので、選択されていない画素に印加される画素電圧は列電圧に等しい。結果として、「オフ」画素は全て、画素が光を生成するには低すぎる同じ振幅を伴なうアドレスパルスを受け取り、「オフ」画素は選択パルスの繰返し周波数を有するが、選択された行の関連する画素がオンであるべきか又はオフであるべきかに依存して、互いに１８０度位相がシフトしている。
【００１８】
請求項２に規定された本発明による実施例では、エネルギリカバリ回路は、サイン波形状のエッジと選択パルスの繰返し周波数の２倍の繰返し周波数とを伴なう出力パルスを供給する。従って、出力パルスは、選択パルス中、及び２つの連続する選択パルスの間の両方において、発生する。データドライバは、同じ位相を有する（選択パルス中に発生する）出力パルス又は逆位相を有する（２つの連続する選択パルスの間に発生する）出力パルスをデータ電極に送るための手段を有する。従って、画素が光を発生しなければならないかどうかに依存して、選択パルスと同じ位相を有する出力パルスのパルス列が選択される、又は選択パルスの逆位相を有する出力パルスのパルス列が選択される。
【００１９】
エネルギーリカバリ回路によって発生するパルスから必要な出力パルスを選択することによって、２つの異なる信号が生成されるけれども単一のエネルギーリカバリ回路が必要なだけである。
【００２０】
請求項４に規定された本発明による実施例では、プラズマディスプレイパネルに適した現存するリカバリー回路を使用することができる。
【００２１】
請求項６に規定された本発明による実施例では、選択電極に供給される選択パルスのエッジ、及びデータ電極に供給される出力パルスのエッジは、より等しくなる。これは、これらエッジの立上り時間及び立下り時間が違いすぎるために画素が誤って光を生成してしまうことを防止する。
【００２２】
本発明のこれら及び他の態様は、以下に記載された実施例から明らかになり、それら実施例を基準にして説明される。
【００２３】
異なる図における同じ符号は、同じ信号、又は同じ機能を実行する同じエレメントに言及している。
【発明を実施するための最良の形態】
【００２４】
図１は、エレクトロルミネセントディスプレイ１を伴なう表示装置のブロック図を示す。
【００２５】
エレクトロルミネセントディスプレイ１は、データ電極１１と選択電極１２との交差部に関連する表示画素１０のマトリックスを有する。
【００２６】
選択ドライバ２は、選択期間ＴＳ（図６参照）の間、所定の繰返し周波数１／ＴＲ（即ち、繰返し周期ＴＲ）の選択パルスＶＳＰを有する選択信号ＶＳ（図２参照）を選択された行１１’に供給する。通常、選択期間ＴＳは、データドライバ３に供給されるビデオ信号ＶＩのライン期間である。
【００２７】
データドライバ３は、データ電極１２にデータ信号ＤＳを供給する。データ信号ＤＳは、同じ所定の繰返し周期ＴＲのデータパルスＤＳＰ（図２参照）を有する。データパルスＤＳＰは、関連する画素１０が光を生成するべきではないデータ電極１２用の選択パルスＶＳＰと同位相を有する（そのパルスＶＳＰの期間中に生じる）。データパルスＤＳＰは、関連する画素１０が光を生成すべきであるデータ電極１２用の選択パルスＶＳＰと逆位相を有する（パルスＶＳＰとＶＳＰとの間に生じる）。
【００２８】
任意の選択エネルギーリカバリ回路６は、ＤＣ電源電圧ＶＢ１を受け取り、サイン波形状のエッジと選択パルスＶＳＰの繰返し周波数１／ＴＲに等しい繰返し周波数とを伴なう出力パルスＯＰ１を選択ドライバ２に供給する。任意のデータエネルギーリカバリ回路４はＤＣ電源電圧ＶＢ２を受け取り、サイン波形状のエッジを伴なう出力パルスＯＰ２をデータドライバ３に供給する。
【００２９】
コントローラ５はタイミング情報ＳＹを受け取り、制御信号ＳＣ１及びＳＣ２をそれぞれ選択ドライバ２及びデータドライバ３に供給する。通常、タイミング情報ＳＹは、映像信号ＶＩに属する水平垂直同期信号を有する。
【００３０】
エレクトロルミネセントディスプレイ１の作動は、データ及び選択エネルギーリカバリ回路４及び６を使用していないＥＬディスプレイ１のための図２を基準にして説明される。ＥＬディスプレイ１の作動は、選択エネルギーリカバリ回路６を使用した本発明の実施例による駆動方式のための図３を基準にして説明される。
【００３１】
図２は、ディスプレイ装置の基本的作動を説明するための波形を示す。
【００３２】
図２Ａは、上から下に、「オフ」画素１０のための、選択された選択電極１１’上の選択信号ＶＳ、関連する画素１０がオフであるべきのデータ電極１２上のデータ信号ＤＳ、及びこの画素１０に印加される画素電圧ＰＶを示す。図２Ａから明らかなように、光を生成してはならない「オフ」画素１０に対して、選択パルスＶＳＰがデータパルスＤＳＰの期間中に生じるので、画素電圧ＰＶは、選択パルスＶＳＰの振幅からデータパルスＤＳＰの振幅を引いたものである。画素１０に印加される差分電圧ＰＶの値は、光を生成するには小さすぎる値である。
【００３３】
図２Ｂは、上から下に、「オン」画素１０のための、選択された選択電極１１’上の選択信号ＶＳ、関連する画素１０がオンであるべきのデータ電極１２上のデータ信号ＤＳ、及びこの画素１０に印加される画素電圧ＰＶを示す。
【００３４】
光を生成すべきである「オン」画素１０に対して、データパルスＤＳＰが選択パルスＶＳＰとＶＳＰとの間に生じるので、画素電圧ＰＶは、データパルスＤＳＰの振幅が加えられた選択パルスＶＳＰの振幅である。画素に印加される画素電圧ＰＶのピークピーク値は、光を生成するのに十分な大きさである。
【００３５】
図３は、本発明の実施例に従ってディスプレイ装置の作動を説明するための波形を示す。
【００３６】
図３Ａは、選択された選択電極１１’上の選択電圧ＶＳ及びその選択パルスＶＳＰを示す。この信号は、選択エネルギーリカバリ回路６を使ってサイン波形状のエッジを有するように発生させることができるが、これは本発明の本質ではない。
【００３７】
図３Ｂは、好ましくはデータエネルギーリカバリ回路４によってデータドライバ３に供給される出力パルスＯＰ２を示す。出力パルスＯＰ２は、サイン波形状のエッジ（図３Bには示されていない）と選択パルスＶＳＰの繰返し周波数の２倍の繰返し周波数とを有する。従って、出力パルスＯＰ２は、選択パルスＶＳＰの期間中、及び２つの連続する選択パルスＶＳＰの間に発生する。データドライバ３は、同相の出力パルスＯＰ２（選択パルスＶＳＰの期間中に発生する）又は逆相の出力パルスＯＰ２（２つの連続する選択パルスＶＳＰの間に発生する）をデータ電極１２に送る。従って、画素１０が光を生成しなければならないかどうかに依存して、データ信号ＤＳは、選択パルスＶＳＰと同位相を有するように選択される出力パルスＯＰ２のパルス列を有し（図３Ｃ参照）、データ信号ＤＳは、選択パルスＶＳＰと逆位相を有するように選択される出力パルスＯＰ２のパルス列を有する（図３Ｄ参照）。
【００３８】
図３Ｅは、オフであるべき画素１０に印加される小振幅の繰返し画素電圧ＰＶを示し、図３Ｆは、オンであるべき画素１０に印加される大振幅の繰返し画素電圧ＰＶを示す。
【００３９】
選択エネルギーリカバリ回路６及びデータエネルギーリカバリ回路４は本発明に本質的なものではなく、それは図３Ａの選択パルスＶＳＰ及び図３Ｃ又は３Ｄのデータパルスを発生させるのに十分である。例えば、データパルスＤＳＰは、プッシュプル出力段を適切に制御することによって、データエネルギーリカバリ回路４を使用せずに、データドライバ３により、発生させることができる。
【００４０】
図４は、本発明による、選択ドライバ及びその関連するエネルギーリカバリ回路、並びにデータドライバ及びその関連するエネルギーリカバリ回路の実施例である。
【００４１】
選択ドライバ２は、複数のプッシュプル出力段を有する。図４では、２つの出力段のみが示されている。実際の実現例では、選択電極１１毎に少なくとも１つの更に多くの出力段を必要とする場合がある。各出力段は、２つのスイッチＲＦ１１及びＲＦ１２、ＲＦ２１及びＲＦ２２の直列接続部を有する。全ての出力段は、ノードＰ１とＰ２との間に配されている。２つのスイッチＲＦ１１及びＲＦ１２、ＲＦ２１及びＲＦ２２の対応する接続部は、対応する選択電極１１に結合されている。ノードＰ１は、エネルギーリカバリ回路６から出力パルスＯＰ１を受け取る。ノードＰ２は、グランドに接続されている。出力段の各々は、出力段駆動回路ＲＤ１、ＲＤ２によって駆動される。選択ドライバコントローラＲＣはコントローラ５から制御信号ＳＣ１を受け取り、制御信号ＳＩ１及びＳＩ２をそれぞれ出力段駆動回路ＲＤ１、ＲＤ２に供給する。制御信号ＳＣ１は、制御信号ＳＩ１、ＳＩ２、...に、それぞれ出力段駆動回路ＲＤ１、ＲＤ２、...を通じて、選択された選択電極１１’に対してスイッチＲＦｉ１が導通及びスイッチＲＦｉ２が非導通であり、選択されていない選択電極１１に対してはスイッチＲＦｉ２が導通及びスイッチＲＦｉ１が非導通であるようにスイッチＲＦｉ１、ＲＦｉ２を制御する値を持たせる。通常、出力段駆動回路ＲＤ１、ＲＤ２、．．．は、プッシュプル段を有する。
【００４２】
データドライバ３も複数のプッシュプル出力段を有する。図４では、２つの出力段のみが示されている。実際の実現例では、通常、データ電極１２毎に少なくとも１つの更に多くの出力段を必要とする場合がある。各出力段は、２つのスイッチＣＦ１１及びＣＦ１２、ＣＦ２１及びＣＦ２２の直列接続部を有する。全ての出力段は、ノードＰ３とＰ４との間に配されている。２つのスイッチＣＦ１１及びＣＦ１２、ＣＦ２１及びＣＦ２２の対応する接続部は、対応するデータ電極１２に結合されている。ノードＰ３は、エネルギーリカバリ回路４から出力パルスＯＰ２を受け取る。ノードＰ４は、グランドに接続されている。出力段の各々は、出力段駆動回路ＣＤ１、ＣＤ２によって駆動される。選択ドライバコントローラＣＣはコントローラ５から制御信号ＳＣ２を受け取り、制御信号ＣＩ１及びＣＩ２をそれぞれ出力段駆動回路ＣＤ１、ＣＤ２に供給する。制御信号ＣＩ１、ＣＩ２、...は、選択された選択電極１１’に関連する画素１０が光を生成するべきか否かに依存して、スイッチＣＦijが導通又は非導通であるように出力段駆動回路ＣＤ１、ＣＤ２、...を制御する。スイッチＣＦｉｊの導通及び非導通フェーズは、図５及び６を基準にして説明される。
【００４３】
エネルギーリカバリ回路６はコンデンサＣ１と共振インダクタＬ１との直列接続部を有し、その直列接続部はノードＮ１とグランドとの間に配されている。スイッチＲＳ１とダイオードＲＤ１との直列接続部は、ノードＮ１とノードＮ２との間に配される。ダイオードＲＤ１のカソードはノードＮ２に向けられている。スイッチＲＳ３とダイオードＲＤ２との直列接続部は、ノードＮ１とノードＮ２との間に配されている。ダイオードＲＤ２のカソードはノードＮ１に向けられている。スイッチＲＳ２は、ＤＣ電源電圧ＶＢ１とノードＮ２との間に配されている。スイッチＲＳ４はノードＮ２とグランドとの間に配されている。出力パルスＯＰ１は、ノードＮ２において利用可能である。スイッチＲＳ１、ＲＳ２、ＲＳ３、ＲＳ４の制御入力部は、それぞれスイッチング信号ＳＲＳ１、ＳＲＳ２、ＳＲＳ３、ＳＲＳ４を受け取る。
【００４４】
エネルギーリカバリ回路４はコンデンサＣ２と共振インダクタＬ２との直列接続部を有し、その直列接続部はノードＮ３とグランドとの間に配されている。スイッチＣＳ１とダイオードＣＤ１との直列接続部はノードＮ３とノードＮ４との間に配されている。ダイオードＣＤ１のカソードは、ノードのＮ４に向けられている。スイッチＣＳ３とダイオードＣＤ２との直列接続部は、ノードＮ３とノードＮ４との間に配されている。ダイオードＣＤ２のカソードは、ノードＮ３に向けられている。スイッチＣＳ２は、ＤＣ電源電圧ＶＢ２とノードＮ４との間に配されている。スイッチＣＳ４は、ノードＮ４とグランドとの間に配されている。出力パルスＯＰ２は、ノードＮ４において利用可能である。スイッチＣＳ１、ＣＳ２、ＣＳ３、ＣＳ４の制御入力部は、それぞれスイッチング信号ＳＣＳ１、ＳＣＳ２、ＳＣＳ３、ＳＣＳ４を受け取る。
【００４５】
共振インダクタＬ１及びＬ２は、出力パルスＯＰ１及びＯＰ２の類似性を向上させるために、磁気的に結合することができる。示されてはいないが、できるだけ同じ出力パルスＯＰ１及びＯＰ２のエッジを得るために、磁気結合の代わりに容量結合を使用することもできる。
【００４６】
図４に示されているスイッチは好ましくはＦＥＴであるけれども、バイポーラトランジスタのような任意の他のスイッチも適している。
【００４７】
図４で示される回路の動作が、図５及び図６を基準にして説明される。
【００４８】
図５は、選択エネルギーリカバリ回路６の動作を説明する波形を示す。図５Ａ、５Ｂ、５Ｃ及び５Ｄは、それぞれスイッチＲＳ１、ＲＳ２、ＲＳ３及びＲＳ４の制御入力部に供給されるスイッチング信号ＳＲＳ１、ＳＲＳ２、ＳＲＳ３、及びＳＲＳ４を示す。図５Ｅは、選択ドライバ２に供給される出力パルスＯＰ１を示す。図５Ｆ、５Ｇ、５Ｈ及び５Ｉは、それぞれスイッチＣＳ１、ＣＳ２、ＣＳ３及びＣＳ４の制御入力部に供給されるスイッチング信号ＳＣＳ１、ＳＣＳ２、ＳＣＳ３、及びＳＣＳ４を示す。図５Ｊは、データドライバ３に供給される出力パルスＯＰ２を示す。
【００４９】
データエネルギーリカバリ回路４及び選択エネルギーリカバリ回路６の目的は、それぞれ、低電力消費によって画素１０の画素容量を充電及び放電することである。
【００５０】
選択エネルギーリカバリ回路６の作動は詳細に説明され、データエネルギーリカバリ回路４はちょうど同じ方法で作動する。違いは、全ての信号ＳＣＳ１、ＳＣＳ２、ＳＣＳ３及びＳＣＳ４がスイッチング信号ＳＲＳ１、ＳＲＳ２、ＳＲＳ３及びＳＲＳ４の２倍の繰返し周波数を有することである。従って、出力パルスＯＰ２の繰返し周波数は、出力パルスＯＰ１の２倍である。
【００５１】
選択エネルギーリカバリ回路６の初期状態では、コンデンサＣ１は電源電圧ＶＢ１の半分に充電され、画素１０に印加される電圧ＰＶはゼロである。
【００５２】
時刻ｔ１においてスイッチＲＳ１が閉じると、選択電極１１のうちの選択された電極１１’において存在する画素容量が、コイルＬ１を通じて充電される。コイルＬ１は画素容量ともに共振回路を形成し、コイルＬ１を流れる電流は正弦波であり、従って選択された選択電極１１’上の電圧は正弦波的に変化する。選択された選択電極１１’は、選択ドライバ２の上部スイッチＲＦｉ１が、他の全ての上部スイッチＲＦｊ１が非通導である一方で、選択電極１１用に導通しているその選択電極１１のことである。同時に、全ての下部スイッチＲＦｋ２が選択されていない選択電極をグランドに接続する。選択された選択電極１１’に対応する下部スイッチＲＦｉ２のみが非通導である。選択された選択電極１１’が選択されている間、データドライバ３は、選択された選択電極１１’に関連する画素１０の画素容量に印加される所望の画素電圧ＰＶを得るために、電極１２にデータ信号ＤＳを供給し、結果として、画素電圧ＰＶは正弦波的に上昇する。
【００５３】
コイルＬ１を流れる電流が負になる時刻ｔ２において、ダイオードＲＤ１は逆バイアスされ電流を阻止する。理想的には、損失なしで、選択電極１１上の選択電圧ＶＳはＶＢ１に等しい。それから、スイッチＲＳ１は開き、スイッチＲＳ２は閉じ、選択電極１１を電源電圧ＶＢ１に接続する。
【００５４】
時刻ｔ３において、スイッチＲＳ２は開き、スイッチＲＳ３は閉じる。画素容量は、コイルＬ１及びスイッチＲＳ３を通じて放電される。コイルＬ１は画素容量とともに共振回路を形成し、コイルＬ１を流れる電流は正弦波であり、データ電極１２上の適切な電圧と合わせて、画素容量に印加される電圧ＰＶが正弦波の状態になる。
【００５５】
コイルＬ１を流れる電流が負になる時刻ｔ４において、ダイオードＲＤ２は逆バイアスされ電流を阻止する。理想的には、損失なしで、選択電極１１上の電圧ＶＳはグランドに等しい。次に、スイッチＲＳ３が開き、スイッチＲＳ４が閉じ、選択電極１１をグランドに接続する。出力信号ＯＰ１のパルスは終了する。
【００５６】
他のどのエネルギーリカバリ回路も使用することができる。出力パルスＯＰ１とＯＰ２との両方が同じ最も高い繰返し周波数を有することが可能であり、データ電極１２におけるデータパルスＤＳの繰返し周波数が選択電極１１の選択された電極１１’における選択パルスＶＳの繰返し周波数に等しい結果となるように、選択ドライバ２を出力パルスＯＰ１の半分のみを使用するよう制御することも可能である。
【００５７】
図６は、選択ドライバ及びデータドライバの動作を説明する他の波形を示す。図６Ａは、選択電極１１が選択され、正しいデータ信号ＤＳをデータ電極１２に供給することによってビデオ情報ＶＩが表示される列又はライン期間Ｒｎ−１、Ｒｎ、Ｒｎ＋１を示す。図６Ｂ、６Ｃ及び６Ｄは、３つの連続する選択電極１１の選択信号ＶＳｎ−１、ＶＳｎ及びＶＳｎ＋１を示す。図６Ｅは、エネルギーリカバリ回路４によりデータドライバ３に供給される出力パルスＯＰ２を示す。図６Ｆは、データ電極１２上のデータパルスＤＳＰを決定する制御信号ＣＩ１，ＣＩ２…の集合ＳＩを示す。図６Ｇ及び６Ｈは、関連する画素１０がオフ又はオンであるべきデータ電極１２のためのデータ信号ＤＳを示す。
【００５８】
選択ドライバ２及びデータドライバ３の動作は、時刻ｔ１０において始まる行Ｒｎに対して説明される。例として、選択信号ＶＳｎは３つの選択パルスＶＳＰを示している。実際は、この数は、非常に大きいだろう。出力パルスＯＰ２は、選択パルスＶＳＰの繰返し周波数の２倍の繰返し周波数を有する。
【００５９】
データドライバ３は出力パルスＯＰ２を受け取り、選択パルスＶＳＰと同相の（又はその期間に発生する）パルスＩＰ、又は選択パルスＶＳＰと位相がずれた（又は選択パルスと選択パルスとの間に発生する）パルスＯＰを選択する。この選択プロセスは、非反転ＮＩ及び反転Ｉの形で交互に供給される制御信号ＣＩ１，ＣＩ２、...の集合で制御される。
【００６０】
例えば、制御信号ＣＩ１、ＣＩ２、...が論理値１を有する場合、データドライバ３の出力段の上部スイッチＣＦ１１、ＣＦ２１、...が閉じ、下部スイッチＣＦ１２、ＣＦ２２、...が開くとする。制御信号ＣＩ１、ＣＩ２、...が論理値０を有する場合、上部スイッチＣＦ１１、ＣＦ２１、...が開き、下部スイッチＣＦ１２、ＣＦ２２、...が閉じる。更に、４つの連続するデータ電極１２に関連する４つの連続する画素１０の、最初の２つの画素１０は光を生成すべきでなく、最後の２つの画素１０は光を生成すべきである。従って、制御信号ＣＩ１、ＣＩ２、...は、集合ＳＩの非反転データ期間ＮＩに対して、それぞれ論理値１１００を有し、制御信号ＣＩ１，ＣＩ２、...は、集合ＳＩの反転データ期間Ｉに対して、それぞれ論理値００１１を有する。
【００６１】
この例では、時刻ｔ１０乃至ｔ１１の期間において、非反転集合ＮＩが供給されると、論理１により、４つの連続するデータ電極１２のうちの最初の２つのデータ電極１２は出力パルスＯＰ２を受けるために接続される。そして論理ゼロにより、４つの連続したデータ電極１２のうちの最後の２つのデータ電極１２はグランドに接続される。時刻ｔ１１からｔ１２の期間において、反転集合Ｉが供給されると、論理ゼロにより、４つの連続するデータ電極１２のうちの最初の２つのデータ電極１２はグランドに接続される。そして論理１により、４つの連続したデータ電極１２のうちの最後の２つのデータ電極１２は出力パルスＯＰ２を受け取るために接続される。従って、データ信号ＤＳは、光を生成すべき画素に対して、選択パルスＶＳＰと同相のデータパルスＤＳＰを有し（図６Ｇ）、データ信号ＤＳは、光を生成するべきではない画素に対して、選択パルスＶＳＰと位相がずれたデータパルスＤＳＰを有する（図６Ｈ）。
【００６２】
図７は、選択パルス及びデータパルスの立上り時間及び立下り時間が違いすぎる場合の望ましくない影響を説明する波形を示す。図７Ａは選択信号ＶＳを示す。図７Ｂは、選択信号ＶＳよりも小さい振幅と急峻なエッジとを有するデータ信号ＤＳを示す。図７Ｃは、選択信号ＶＳからデータ信号ＤＳを引いた画素電圧ＰＶを示す。図７Ｃから明らかになるように、エッジの異なる立上り時間及び立下り時間は、光を生成すべきではない画素１０（選択パルスＶＳＰ及びデータパルスＤＳＰは同相である）が光を生成するくらい大きいかもしれないオーバーシュート及びアンダーシュートを生じさせる。
【００６３】
本発明の実施例において選択パルスＶＳＰ及びデータパルスＤＳＰのエッジの立上がり時間及び立下り時間の大きすぎる違いを防止するために、選択エネルギーリカバリ回路及びデータエネルギーリカバリ回路６及び４のインダクタＬ１及びＬ２が、それぞれ図４に示すように磁気的に結合されている。
【００６４】
１２行及び９６列のウーブン（woven）ディスプレイＥＬパネル１の実用的実験的な実現例では、選択パルスＶＳＰは、典型的には２６０ボルトから３００ボルトの範囲内の振幅を有し、データパルスＤＳＰは典型的には１２０ボルトから１５０ボルトの範囲に振幅を有し、選択パルスＶＳＰの繰返し周波数は、典型的には５０％のデューティサイクルで典型的には１ｋＨｚから１５ｋＨｚの範囲にある。データパルスＤＳＰ及び選択パルスＶＳＰの立上り時間及び立下り時間は、典型的には０．５μsecから３μsecの範囲にある。
【００６５】
磁気的に結合されるエネルギーリカバリ回路６及び４のインダクタＬ１及びＬ２は、変圧器の巻線とすることができる。巻線の巻回比は、好ましくは、選択パルスＶＳＰの振幅とデータパルスＤＳＰの振幅との比に実質的に等しい。
【００６６】
上記実施例は本発明を限定的に示しているのではなく、当業者は添付請求項の範囲から逸脱すること無く多くの別の実施例を設計できることに注意すべきである。
【００６７】
「有する」という言葉は、請求項に挙げられている要素又はステップ以外の存在を排除するものではない。本発明は、幾つかの個別のエレメントを有するハードウェアによって、及び適切にプログラムされたコンピュータによって実現することができる。幾つかの手段を列挙している装置の請求項では、これらの手段の幾つかを、ハードウェアの同じ一つのものによって実現することができる。特定の手段が相互に異なる従属項に挙げられているという単なる事実は、これら手段の組合せが有利に使用することができないことを示すものではない。
【図面の簡単な説明】
【００６８】
【図１】エレクトロルミネセントディスプレイを伴なう表示装置のブロック図を示す。
【図２Ａ】ディスプレイ装置の基本的作動を説明するための波形を示す。
【図２Ｂ】ディスプレイ装置の基本的作動を説明するための波形を示す。
【図３】本発明の実施例に従ってディスプレイ装置の作動を説明するための波形を示す。
【図４】本発明による、選択ドライバ及びその関連するエネルギーリカバリ回路、並びにデータドライバ及びその関連するエネルギーリカバリ回路の実施例である。
【図５】エネルギーリカバリ回路の動作を説明する波形を示す。
【図６】選択ドライバ及びデータドライバの動作を説明する他の波形を示す。
【図７】選択パルス及びデータパルスの立上り時間及び立下り時間が違いすぎる場合の望ましくない影響を説明する波形を示す。
【図１】
2005535914.tif 000003
2005535914.tif 000004
2005535914.tif 000005
【図４】
2005535914.tif 000006
2005535914.tif 000007
2005535914.tif 000008
2005535914.tif 000009
【国際調査報告】
2005535914.tif 000010
2005535914.tif 000011
2005535914.tif 000012